(57)【要約】      （修正有）【課題】雄螺子と雌螺子との接着剤による固定箇所の接着剤を外すことなく上部床の高さ調節を行うことができる二重床の支持手段を提供する。【解決手段】下部側雄螺子２６と上部側雄螺子３０とを一体に形成した高さ調節部材２４を有し、その高さ調節部材２４は下部台座１２に固定された雌螺子部材１６と螺合して上下方向に移動可能とする。上部側雄螺子３０に螺合する雌螺子部材５０を備え、その雌螺子部材５０の外面に環状の支持板５４を形成する。受座４８または床下地材５６を支持するための上部台座３８を前記支持板５４の上に相対的に回転自在に載せる。上部側雄螺子３０と雌螺子部材５０の雌螺子５２との螺合箇所を接着剤で接着する。受座４８や床下地材５６の高さを調節する場合は、高さ調節部材２４を回転させることによって、高さ調節部材２４と共に雌螺子部材５０は回転上昇し、受座４８や床下地材５６を載せた上部台座３８を上昇させる。【選択図】      図１
2004257158.tif 000002
【特許請求の範囲】
【請求項１】
下部側第一螺合手段と上部側第一螺合手段とを一体に形成した高さ調節部材と、床基盤の上に載せる下部台座に固定されるものであって前記下部側第一螺合手段と螺合するための下部側第二螺合手段と、受座または床下地材を支持するための上部台座と、その上部台座に対して回転自在に接触支持する支持板を有するものであって前記上部側第一螺合手段と螺合するための上部側第二螺合手段とを有し、前記上部側第一螺合手段と前記上部側第二螺合手段とを接着剤で接着することを特徴とする二重床の支持手段。
【請求項２】
上部側第一螺合手段と上部側第二螺合手段のいずれか一方を雄螺子とすると共にいずれか他方を雌螺子とし、前記雄螺子の外面において中心軸と平行な方向からねじの進む方向にやや傾斜した方向に溝を形成したことを特徴とする請求項１記載の二重床の支持手段。
【請求項３】
上部側第一螺合手段を雄螺子とし、その雄螺子の下端の周囲に接着剤をそこより下へ流さないようにするための液滴れ防止部材を備えたことを特徴とする請求項２記載の二重床の支持手段。
【請求項４】
前記支持板を上下に挟む上部鍔部と下部鍔部とを前記上部台座に形成したことを特徴とする請求項１記載の二重床の支持手段。
【請求項５】
前記下部台座の底面を部分球面形状とし、その下部台座の底面と前記床基盤とを接着剤で接着することを特徴とする請求項１乃至５記載の二重床の支持手段。
【発明の詳細な説明】
【０００１】
【発明の属する技術分野】
本発明は、床基盤の上方に上部床を支持するための二重床の支持手段に関する。
【０００２】
【従来の技術】
集合住宅やオフィスビル等においては、防音性能を高めるためや、床下の配管や配線を容易にするために、床基盤の上方に上部床を配置するいわゆる二重床が用いられている。従来の二重床は特許文献１に提示されており、その従来の二重床を図５及び図６に示す。二重床は、床基盤７０の上に多数の支持手段７２を備え、それらの多数の支持手段７２によって上部床（図５及び図６では、上部床の構成部材の一部である床下地材７４を示す）を支持するものである。支持手段７２は、床基盤７０の上に置かれる下部台座７６と、その下部台座７６の上に立脚した状態で回転自在に備えられる支持脚７８と、その支持脚７８の上部に取付けられる上部台座８０と、その上部台座８０の上に載せられる受座８２とから成る。支持脚７８は下方の棒状部８４と上方の雄螺子８６とから成り、棒状部８４は下部台座７６に対して自由に回転できるように嵌合されている。上部台座８０は、筒状部８８とその一端に外側に広がる鍔部９０と筒状部８８の内側に形成されている雌螺子９２とから成る。支持脚７８の雄螺子８６と上部台座８０の筒状部８８の雌螺子９２とは螺合した状態に設定される。
【０００３】
二重床を作る場合には、先ず床基盤７０の上に各下部台座７６を接着剤で固定する。次に、上部台座８０の鍔部９０の上に受座８２を載せ、上部台座８０と受座８２とを保持した状態で支持脚７８を上部台座８０に対して螺合した状態で回転させる。これによって、上部台座８０と受座８２は支持脚７８（床基盤７０）に対して昇降する。支持脚７８に対する上部台座８０の高さを調節することによって、各受座８２の上面を同一水平面に調節する。同一水平面になった多数の受座８２の上に床下地材７４を載せ、その後、釘等の固定手段９４で受座８２と床下地材７４とを固定する。
【０００４】
支持脚７８の雄螺子８６と上部台座８０の雌螺子９２との螺合箇所は、上部床の振動等により、時間の経過と共にガタツキや緩みが発生する。このため、支持脚７８に対する上部台座８０の高さが決定すると、支持脚７８と雌螺子９２との螺合箇所に接着剤を流し込み、支持脚７８と上部台座８０とを固定する。この際、床下地材７４の上から支持脚７８と雌螺子９２との螺合箇所に接着剤を流し込むことができるように、予め床下地材７４に貫通穴９６を形成すると共に、受座８２に貫通穴９８を形成する。これによって、支持脚７８に対する上部台座８０の高さの変動が無くなり、床下地材７４は最初に設定した水平状態を保持できる。床下地材７４を水平状態に設定した後、その床下地材７４の上に例えばフローリング材、木質フロア、床タイル等の床表面仕上げ材（図示せず）を載せ、床下地材７４と床表面仕上げ材とを図示しない固定手段で固定する。
【０００５】
【特許文献１】
実用新案登録第２５８３１８４号公報（図１並びに図１５）
【０００６】
【発明が解決しようとする課題】
建物が例えばマンションやビル等の場合には、床基盤７０は一般に鉄筋コンクリートで作られているため、床基盤７０自体が湾曲したりすることはない。しかし、建物が例えば工務店等の建売住宅の場合には、コンクリートの床基盤７０の下に位置する土の地固めや根固めが充分に行われていないことがあり、そのような場合には床基盤７０の一部が降下したりへこむ方向に湾曲したりする。床基盤７０が降下したり湾曲したりすると、支持手段７２に固定支持されている床下地材７４も降下し、その上に固定されている床表面仕上げ材が波打ってしまうという不具合が発生していた。
【０００７】
床基盤７０が下降した位置における支持手段７２を調節する場合は、作業者が床基盤７０と床下地材７４の間に入って、支持脚７８を回転させることで、支持脚７８の雄螺子８６と上部台座８０の筒状部８８の雌螺子９２との螺合箇所の接着剤を外す。その後、支持脚７８を更に回転させて、床表面仕上げ材が波打たないように、支持脚７８に対して受座８２と床下地材７４を上昇させてそれらの高さを調節する。受座８２と床下地材７４の高さを調節した後は、支持脚７８の雄螺子８６と上部台座８０の雌螺子９２との螺合箇所のガタツキや緩みの発生を防止するため、先程接着を外した雄螺子８６と雌螺子９２との螺合箇所を再度接着剤で固定しなければならない。
【０００８】
しかし、支持脚７８の雄螺子８６と上部台座８０の雌螺子９２との螺合箇所は、床基盤７０と床下地材７４の間に入った作業者からは閉鎖された状態になっているため、作業者は雄螺子８６と雌螺子９２との螺合箇所に接着剤を流し込むことができない。このため、床下地材７４に固定した床表面仕上げ材を外して図５に示す状態とし、この図５の状態において床下地材７４の貫通穴９６や受座８２の貫通穴９８から雄螺子８６と雌螺子９２との螺合箇所に接着剤を流し込む作業を行わなければならない。この床表面仕上げ材を床下地材７４から外す作業は時間と費用がかかるという不具合があった。更に、床表面仕上げ材を傷つけるおそれがあった。
【０００９】
木造建築の２階以上の床基盤７０においては、木材が使用されている。木材を使用した床基盤７０の場合には上面に斜めの勾配があったり凹凸があったりして、床基盤７０の上面が水平にはならないことが多い。また、下部台座７６の下面は従来から平面形状となっている。このため、木材を使用した床基盤７０の場合には、支持脚７８の軸中心を鉛直に保持することが難しく、その結果、受座８２の上面や床下地材７４の上面を水平にすることができないという不具合があった。
【００１０】
本発明は上記の点に鑑みてなされたもので、雄螺子と雌螺子との接着剤による固定箇所の接着剤を外すことなく上部床の高さ調節を行うことができる二重床の支持手段を提供することを目的とするものである。
【００１１】
【課題を解決するための手段】
上記目的を達成するための本発明に係る支持手段は、下部側第一螺合手段と上部側第一螺合手段とを一体に形成した高さ調節部材と、床基盤の上に載せる下部台座に固定されるものであって前記下部側第一螺合手段と螺合するための下部側第二螺合手段と、受座または床下地材を支持するための上部台座と、その上部台座に対して回転自在に接触支持する支持板を有するものであって前記上部側第一螺合手段と螺合するための上部側第二螺合手段とを有し、前記上部側第一螺合手段と前記上部側第二螺合手段とを接着剤で接着するようにしたものである。
【００１２】
本発明は、上部側第一螺合手段と上部側第二螺合手段のいずれか一方を雄螺子とすると共にいずれか他方を雌螺子とし、前記雄螺子の外面において中心軸と平行な方向からねじの進む方向にやや傾斜した方向に溝を形成するようにしたものである。本発明はまた、上部側第一螺合手段を雄螺子とし、その雄螺子の下端の周囲に接着剤をそこより下へ流さないようにするための液滴れ防止部材を備えるようにしたものである。本発明は更に、前記支持板を上下に挟む上部鍔部と下部鍔部とを前記上部台座に形成するようにしたものである。本発明はその上、前記下部台座の底面を部分球面形状とし、その下部台座の底面と前記床基盤とを接着剤で接着するようにしたものである。
【００１３】
【作用】
床基盤の上に置かれる下部台座に螺合してその下部台座に対して高さを変える高さ調節部材を有する。その高さ調節部材の上部に上部側第一螺合手段を形成し、その上部側第一螺合手段と螺合する上部側第二螺合手段を備える。その上部側第二螺合手段の外壁に外方に突出する環状の支持板を形成する。その支持板の上に受座または床下地材を支持するための上部台座を載せ、しかも支持板と上部台座とは互いに回転移動自在な状態とする。高さ調節部材の上部側第一螺合手段とそれと螺合する上部側第二螺合手段との螺合箇所を接着剤で接着する。高さ調節部材の上部側第一螺合手段と上部側第二螺合手段との螺合箇所が接着剤で接着されているので、受座や床下地材の高さを調節する（上昇させる）際に、高さ調節部材を下部台座に対して回転させると、上部側第二螺合手段は高さ調節部材と共に回転上昇して、その上部側第二螺合手段の上に載せた上部台座を上昇させ、その結果として受座または床下地材を上昇させる。これによって、受座または床下地材の高さの調整を行って、床表面仕上げ材を平面に保持することができる。この際、上部側第一螺合手段と上部側第二螺合手段との螺合箇所の接着剤を外さなくて済むので、床表面仕上げ材を床下地材から外さなくて済み、従来よりも作業経費と作業時間とを低減することができる。
【００１４】
【発明の実施の形態】
次に本発明を図面に基づいて説明する。
図１は本発明に係る二重床の支持手段を示す断面図である。本発明に係る二重床の支持手段は、床基盤１０に接触する下部台座１２と、この下部台座１２の上部に固定した棒状の支持軸１４と、その支持軸１４の上部に固定した下部側第二螺合手段としての筒状の雌螺子部材１６とを有する。この雌螺子部材１６の内壁には雌螺子１８が形成されており、その雌螺子部材１６の上端には外側に向かって広がる鍔部２０が一体に形成されている。下部台座１２の底面２２は、平面状のものであっても良いが、図１に示すような部分球面状のものであっても良い。下部台座１２の底面２２を部分球面状のものとした場合には、部分球面状の底面２２と床基盤１０との間に接着剤２３を介在させて、下部台座１２と床基盤１０とを接着剤２３で固定する。下部台座１２を床基盤１０に接着剤２３で固定する際に、支持軸１４及び筒状の雌螺子部材１６を鉛直状態に保持する。なお、支持軸１４を省略して、雌螺子部材１６を下部台座１２に直接固定するようにしても良い。
【００１５】
本発明に係る支持手段は更に、高さ調節部材２４を有する。この高さ調節部材２４は、下方から上方に向けて下部側第一螺合手段としての下部側雄螺子２６と回転係合部２８と上部側第一螺合手段としての上部側雄螺子３０との３つの部材を一体に形成したものである。下部側第一螺合手段としての下部側雄螺子２６は、前記雌螺子部材１６に形成される下部側第二螺合手段としての雌螺子１８と螺合するものである。下部側雄螺子２６と雌螺子部材１６の雌螺子１８とを螺合する前に、下部側雄螺子２６にナット３２を先に螺合させ、その後、下部側雄螺子２６を雌螺子部材１６の雌螺子１８に螺合させる。高さ調節部材２４は雌螺子部材１６に対する高さを変えることができるもので、高さ調節部材２４の回転係合部２８に例えばレンチ等の工具を係合させ、その工具によって高さ調節部材２４を回転させることで、雌螺子部材１６に対する高さ調節部材２４の高さを変えることができる。雌螺子部材１６に対する高さ調節部材２４の高さが決定すると、前記ナット３２を雌螺子部材１６の鍔部２０に接触するまで移動させる。これによって、高さ調節部材２４の下部側雄螺子２６を雌螺子部材１６の雌螺子１８とナット３２とのダブルナットによって固定することになり、雌螺子部材１６に対する高さ調節部材２４の位置ずれを防止できる。
【００１６】
高さ調節部材２４の上部側雄螺子３０の外面に、その上部側雄螺子３０の中心軸と平行な方向からやや傾斜した方向に、接着剤を通過させるための複数の溝３４（図１，図３及び図４）を形成する。この溝３４の進行方向は、中心軸と平行な方向からねじの進む方向にやや傾斜した方向に形成されている。上部側雄螺子３０の下端の外周には環状で皿状の液滴れ止め部材３６が備えられている。この液滴れ止め部材３６は、溝３４を通って落下してきた接着剤を受けて、接着剤を下へ流さないようにするものである。
【００１７】
本発明に係る支持手段は、上部台座３８を有する。上部台座３８は、図１及び図３に示すように、筒状部４０と、その筒状部４０の下端から外側に広がる上部鍔部４２と、その上部鍔部４２と間隔を空けた下部鍔部４４と、上部鍔部４２の外縁と下部鍔部４４の外縁とを連絡する筒状の連絡部材４６とからなる。上部鍔部４２は、その上に受座４８（図６の受座８２と同様のもの）を支持するものである。受座４８の中央には貫通穴４９が形成されており、受座４８の貫通穴４９を上部鍔部４２の筒状部４０に嵌合させることで、受座４８を上部台座３８の上部鍔部４２の上に載せる。
【００１８】
本発明に係る支持手段は更に、雌螺子部材５０を有する。図１及び図３に示すように、雌螺子部材５０は筒状であり、その筒状の内壁の軸方向全域にわたって上部側第二螺合手段としての雌螺子５２が形成されている。高さ調節部材２４の上部側雄螺子３０に、この雌螺子部材５０の雌螺子５２を螺合させる。筒状の雌螺子部材５０の高さの中央位置の外壁には、外側に向かって広がる環状の支持板５４が一体に形成されている。この支持板５４は、上部台座３８の上部鍔部４２と下部鍔部４４との高さの間に下側に隙間を設けた状態で装着される。この状態では、雌螺子部材５０の支持板５４の上に上部台座３８の上部鍔部４２が載せられる。支持板５４を上部鍔部４２と下部鍔部４４とで隙間を設けて挟むことによって、本発明の支持手段を組立てる際に、上部台座３８が雌螺子部材５０から外れることがないので作業性が良い。
【００１９】
雌螺子部材５０の支持板５４で上部台座３８の上部鍔部４２を支持した後、上部台座３８の上部鍔部４２の上に受座４８を載せ、その受座４８の上に床下地材５６を載せ、釘等の固定手段５８でそれらを固定する。なお、上部鍔部４２の上には、受座４８に代えて床下地材５６を直接載せるようにしても良いが、受座４８を載せるのが望ましい。床下地材５６には、上部側雄螺子３０と雌螺子部材５０の雌螺子５２との螺合箇所に接着剤を流し込むことができるための貫通穴６０が形成されている。
【００２０】
ここで、本発明において、受座４８の上面即ち床下地材５６の上面を均一な高さに調節する場合について説明する。先ず、下部台座１２の底面２２を部分球面状のものとして、床基盤１０と下部台座１２とを接着剤２３で固定する。これによって、上面に斜めの勾配があったり凹凸があったりする木材を床基盤１０とした場合でも、支持軸１４及び筒状の雌螺子部材１６を鉛直状態に設置することができ、受座４８の上面及び床下地材５６の上面を水平にすることができる。なお、本発明では、下部台座１２の底面２２を必ずしも部分球面状にする必要はない。
【００２１】
次に、雌螺子部材１６の雌螺子１８に下部側雄螺子２６を螺合させてそれらの相対位置を調節すると共に、上部台座３８の筒状部４０の雌螺子５２に高さ調節部材２４の上部側雄螺子３０を螺合させてそれらの相対位置を調節する。これらの２つの螺合箇所を調節することで、受座４８の上面の高さ（床下地材５６の上面の高さ）を決定する。受座４８の上面の高さ（床下地材５６の上面の高さ）を決定した後は、床下地材５６の貫通穴６０から高さ調節部材２４の上部側雄螺子３０の溝３４に接着剤を流し込む。上部側雄螺子３０の溝３４に流し込まれた接着剤は、溝３４から上部台座３８の筒状部４０の雌螺子５２と高さ調節部材２４の上部側雄螺子３０との螺合箇所に染み込んで、その螺合箇所を緩まないように固定する。溝３４に流し込まれた接着剤の余剰の接着剤は、液滴れ止め部材３６によって受け止められ、下方へ流れ落ちないようにする。接着剤によって高さ調節部材２４と上部台座３８とを固定した後、床下地材５６の上に図示しない床表面仕上げ材を載せ、床下地材５６と床表面仕上げ材とを既知の固定手段で固定して二重床を完成させる。
【００２２】
床基板１０に降下や湾曲へこみが発生した場合に、本発明の支持手段による高さの調節について説明する。作業者は床基盤１０と床下地材５６の間に入り、先ずナット３２を回してナット３２を下部側雄螺子２６に対して上昇させて、雌螺子部材１６に対して高さ調節部材２４を回転自在にする。その後、高さ調節部材２４の回転係合部２８にレンチなどの工具を係合させて、高さ調節部材２４を雌螺子部材１６に対して回転しながら上昇させる。この際、高さ調節部材２４と雌螺子部材５０とは接着材で固定状態に保たれているため、雌螺子部材５０とそれに一体に形成された支持板５４とは回転しながら上昇する。この支持板５４は、上部台座３８の上部鍔部４２と接触しながら上昇し、上部台座３８を上昇させる。これによって、上部台座３８の上部鍔部４２によって支持されている受座４８並びに床下地材５６も上昇する。この結果、床基板１０に降下や湾曲へこみが発生しても、高さ調節部材２４を回転させるだけで、受座４８並びに床下地材５６の高さを調節することができる。なお、高さの調節が完了した後は、ナット３２を回して雌螺子部材１６に接触させる。
【００２３】
本発明では、高さ調節部材２４の上部側雄螺子３０と雌螺子部材５０の雌螺子５２とを固定する接着剤を外さなくて済む。この結果、従来は床下地材５６の上に載せた床表面仕上げ材を外して再度接着剤を流し込む作業を必要としたのに対し、本発明では床下地材５６の上に載せた床表面仕上げ材を外す作業を省略することができる。
【００２４】
なお、前述の説明では、高さ調節部材２４の下部側第一螺合手段と上部側第一螺合手段とを雄螺子とし、下部側第二螺合手段と上部側第二螺合手段とを雌螺子として説明した。その反対に、高さ調節部材２４の下部側第一螺合手段と上部側第一螺合手段とを雌螺子とし、下部側第二螺合手段と上部側第二螺合手段とを雄螺子としても良い。
【００２５】
【発明の効果】
以上のように、本発明に係る支持手段によれば、床基盤に降下箇所が生じたとしても、高さ調節部材とそれと螺合する部材とを固定する接着剤を外すことなく、高さ調節部材を回転させるだけで受座や床下地材の高さを調節することができる。このように、高さ調節部材とそれと螺合する部材との接着剤を外さなくて済むことで、受座や床下地材の高さ調節作業の際に、床下地材の上に固定した床表面仕上げ材を床下地材から外さなくて済み、作業費用と作業時間を大幅に低減することができる。
【００２６】
高さ調節部材の雄螺子の外表面に、その外面の軸方向に対してやや傾斜した方向に接着剤を通過させるための複数の溝を形成することで、その溝に接着剤を流し込むことで、雄螺子と雌螺子との接着をより確実にかつ簡単に行うことができる。
また、下部台座の下面を部分球面状のものとして、床基盤と下部台座の下面との間を接着剤で固定することによって、上面に斜めの勾配があったり凹凸があったりする木材を床基盤とした場合でも、支持軸を鉛直状態に設置することができ、受座の上面及び床下地材の上面を水平にすることができる。
【図面の簡単な説明】
【図１】本発明に係る二重床の支持手段で床基板と床下地剤とを固定した状態を示す断面図である。
【図２】本発明に使用する高さ調節部材と第一雌螺子部材との螺合状態を示す断面図である。
【図３】本発明に使用する高さ調節部材と第二雌螺子部材との螺合状態を示す断面図である。
【図４】本発明に使用する高さ調節部材の平面図である。
【図５】従来の二重床の支持手段の断面図である。
【図６】従来の二重床の支持手段の分解斜視図である。
【符号の説明】
１０  床基盤
１２  下部台座
１６  第一雌螺子部材
１８  雌螺子
２２  下面
２３  接着剤
２４  高さ調節部材
２６  下部側雄螺子
３０  上部側雄螺子
３４  溝
３６  液滴れ止め部材
３８  上部台座
４２  上部鍔部
４４  下部鍔部
４８  受座
５０  第二雌螺子部材
５２  雌螺子
５６  床下地材
【図１】
2004257158.tif 000003
【図２】
2004257158.tif 000004
【図３】
2004257158.tif 000005
【図４】
2004257158.tif 000006
【図５】
2004257158.tif 000007
【図６】
2004257158.tif 000008